(57)【要約】【課題】  この発明は、ダビング対象タイトルにコピーワンス部と、コピーフリー部とが混在している場合、コピーフリー部のみを高速に抜き出してダビングすることができるデジタル録画装置を提供することを目的とする。【解決手段】  記録手段は、ＭＰＥＧデータを第１の記録メディアに記録する際には、管理情報であるＭ＿ＶＯＢ＿ＧＩ、ＴＭ＿ＥＮＴおよびＶＯＢＵ＿ＥＮＴそれぞれに、その管理対象のＭＰＥＧデータに対して、全てがコピーワンスであるか、全てがコピーフリーであるか、コピーワンスとコピーフリーとが混在しているかを表すコピー情報を記録するコピー情報記録手段を備えており、ダビング手段は、Ｍ＿ＶＯＢ＿ＧＩ、ＴＭ＿ＥＮＴおよびＶＯＢＵ＿ＥＮＴそれぞれに記録されたコピー情報に基づいて、コピーフリーであるＭＰＥＧデータのみを第２の記録メディアにコピーする。【選択図】  図１
2006352453.tif 000002
【特許請求の範囲】
【請求項１】
第１の記録メディア、第２の記録メディア、入力されるＡＶデータをエンコードして第１の記録メディアおよび第２の記録メディアのうちのいずれか一方の記録メディアに記録する記録手段、および上記一方の記録メディアに記録したデータを他方の記録メディアにコピーするダビング手段を備えたデジタル録画装置において、
記録手段は、データを上記一方の記録メディアに記録する際には、管理情報を上記一方の記録メディアに記録するとともに、管理情報内の所定の１または複数の管理項目に、その管理項目の管理対象であるデータに対して、全てがコピーワンスであるか、全てがコピーフリーであるか、コピーワンスとコピーフリーとが混在しているかを表すコピー情報を記録するコピー情報記録手段を備えており、
ダビング手段は、上記所定の１または複数の管理項目に記録されたコピー情報に基づいて、コピーフリーであるデータのみを上記他方の記録メディアにコピーすることを特徴とするデジタル録画装置。
【請求項２】
全てがコピーフリーであることを示すコピー情報を第１コピー情報、全てがコピーワンスであることを示すコピー情報を第２コピー情報、コピーワンスとコピーフリーとが混在しているかを示すコピー情報を第３コピー情報と定義すると、
上記管理情報内の所定の管理項目として、階層が高い順に、第１管理項目、第２管理項目および第３管理項目があり、
ダビング手段は、
第１管理項目に記録されたコピー情報が、第１コピー情報であるか、第２コピー情報であるか、第３コピー情報であるかを判別する第１判別手段、
第１判別手段によって第１管理項目に記録されたコピー情報が第１コピー情報であると判別した場合には、当該第１管理項目の管理対象であるデータを上記他方の記録メディアにコピーする手段、
第１判別手段によって第１管理項目に記録されたコピー情報が第２コピー情報であると判別した場合には、当該第１管理項目の管理対象であるデータの上記他方の記録メディアへのコピーを禁止する手段、
第１判別手段によって第１管理項目に記録されたコピー情報が第３コピー情報であると判別した場合には、当該第１管理項目内の第２管理項目毎に、第２管理項目に記録されたコピー情報が、第１コピー情報であるか、第２コピー情報であるか、第３コピー情報であるかを判別する第２判別手段、
第２判別手段によって第２管理項目に記録されたコピー情報が第１コピー情報であると判別した場合には、当該第２管理項目の管理対象であるデータの全てを上記他方の記録メディアにコピーする手段、
第２判別手段によって第２管理項目に記録されたコピー情報が第２コピー情報であると判別した場合には、当該第２管理項目の管理対象であるデータの上記他方の記録メディアへのコピーを禁止する手段、
第２判別手段によって第２管理項目に記録されたコピー情報が第３コピー情報であると判別した場合には、当該第２管理項目内の各第３管理項目毎に、第３管理項目に記録されたコピー情報が、第１コピー情報であるか、第２コピー情報であるか、第３コピー情報であるかを判別する第３判別手段、
第３判別手段によって第３管理項目に記録されたコピー情報が第１コピー情報であると判別した場合には、当該第３管理項目の管理対象であるデータの全てを上記他方の記録メディアにコピーする手段、ならびに
第３判別手段によって第３管理項目に記録されたコピー情報が第２コピー情報または第３コピー情報であると判別した場合には、当該第３管理項目の管理対象であるデータの上記他方の記録メディアへのコピーを禁止する手段、
を備えていることを特徴とする請求項１に記載のデジタル録画装置。
【請求項３】
コピー情報記録手段は、管理情報内の上記所定の１または複数の管理項目の空きｂｉｔに、コピー情報を記録することを特徴とする請求項１または２のいずれかに記載のデジタル録画装置。
【請求項４】
コピー情報記録手段は、管理情報内の上記所定の１または複数の管理項目にコピー情報記憶領域を追加し、コピー情報記憶領域にコピー情報を記録することを特徴とする請求項１または２のいずれかに記載のデジタル録画装置。
【請求項５】
第１の記録メディア、第２の記録メディア、入力されるＡＶデータをＭＰＥＧエンコードして第１の記録メディアおよび第２の記録メディアのうちのいずれか一方の記録メディアに記録する記録手段、および上記一方の記録メディアに記録したＭＰＥＧデータを他方の記録メディアにコピーするダビング手段を備えたデジタル録画装置において、
記録手段は、ＭＰＥＧデータを上記一方の記録メディアに記録する際には、ＤＶＤ−ＶＲフォーマットに沿った形式で管理情報を上記一方の記録メディアに記録するとともに、管理情報内のＭ＿ＶＯＢ＿ＧＩ、ＴＭ＿ＥＮＴおよびＶＯＢＵ＿ＥＮＴそれぞれに、その管理対象であるＭＰＥＧデータに対して、全てがコピーワンスであるか、全てがコピーフリーであるか、コピーワンスとコピーフリーとが混在しているかを表すコピー情報を記録するコピー情報記録手段を備えており、
ダビング手段は、Ｍ＿ＶＯＢ＿ＧＩ、ＴＭ＿ＥＮＴおよびＶＯＢＵ＿ＥＮＴそれぞれに記録されたコピー情報に基づいて、コピーフリーであるＭＰＥＧデータのみを上記他方の記録メディアにコピーすることを特徴とするデジタル録画装置。
【請求項６】
全てがコピーフリーであることを示すコピー情報を第１コピー情報、全てがコピーワンスであることを示すコピー情報を第２コピー情報、コピーワンスとコピーフリーとが混在しているかを示すコピー情報を第３コピー情報と定義すると、
ダビング手段は、
Ｍ＿ＶＯＢ＿ＧＩに記録されたコピー情報が、第１コピー情報であるか、第２コピー情報であるか、第３コピー情報であるかを判別する第１判別手段、
第１判別手段によってＭ＿ＶＯＢ＿ＧＩに記録されたコピー情報が第１コピー情報であると判別した場合には、当該Ｍ＿ＶＯＢ＿ＧＩの管理対象であるＭＰＥＧデータを上記他方の記録メディアにコピーする手段、
第１判別手段によってＭ＿ＶＯＢ＿ＧＩに記録されたコピー情報が第２コピー情報であると判別した場合には、当該Ｍ＿ＶＯＢ＿ＧＩの管理対象であるＭＰＥＧデータの上記他方の記録メディアへのコピーを禁止する手段、
第１判別手段によってＭ＿ＶＯＢ＿ＧＩに記録されたコピー情報が第３コピー情報であると判別した場合には、当該Ｍ＿ＶＯＢ＿ＧＩ内のＴＭ＿ＥＮＴ毎に、ＴＭ＿ＥＮＴに記録されたコピー情報が、第１コピー情報であるか、第２コピー情報であるか、第３コピー情報であるかを判別する第２判別手段、
第２判別手段によってＴＭ＿ＥＮＴに記録されたコピー情報が第１コピー情報であると判別した場合には、当該ＴＭ＿ＥＮＴの管理対象であるＭＰＥＧデータの全てを上記他方の記録メディアにコピーする手段、
第２判別手段によってＴＭ＿ＥＮＴに記録されたコピー情報が第２コピー情報であると判別した場合には、当該ＴＭ＿ＥＮＴの管理対象であるＭＰＥＧデータの上記他方の記録メディアへのコピーを禁止する手段、
第２判別手段によってＴＭ＿ＥＮＴに記録されたコピー情報が第３コピー情報であると判別した場合には、当該ＴＭ＿ＥＮＴ内の各ＶＯＢＵ＿ＥＮＴ毎に、ＶＯＢＵ＿ＥＮＴに記録されたコピー情報が、第１コピー情報であるか、第２コピー情報であるか、第３コピー情報であるかを判別する第３判別手段、
第３判別手段によってＶＯＢＵ＿ＥＮＴに記録されたコピー情報が第１コピー情報であると判別した場合には、当該ＶＯＢＵ＿ＥＮＴの管理対象であるＭＰＥＧデータの全てを上記他方の記録メディアにコピーする手段、ならびに
第３判別手段によってＶＯＢＵ＿ＥＮＴに記録されたコピー情報が第２コピー情報または第３コピー情報であると判別した場合には、当該ＶＯＢＵ＿ＥＮＴの管理対象であるＭＰＥＧデータの上記他方の記録メディアへのコピーを禁止する手段、
を備えていることを特徴とする請求項５に記載のデジタル録画装置。
【請求項７】
コピー情報記録手段は、管理情報中のＭ＿ＶＯＢ＿ＧＩ、ＴＭ＿ＥＮＴおよびＶＯＢＵ＿ＥＮＴそれぞれの空きｂｉｔに、コピー情報を記録することを特徴とする請求項５または６のいずれかに記載のデジタル録画装置。
【請求項８】
コピー情報記録手段は、管理情報中のＭ＿ＶＯＢ＿ＧＩ、ＴＭ＿ＥＮＴおよびＶＯＢＵ＿ＥＮＴそれぞれにコピー情報記憶領域を追加し、コピー情報記憶領域にコピー情報を記録することを特徴とする請求項５または６のいずれかに記載のデジタル録画装置。
【発明の詳細な説明】
【技術分野】
【０００１】
この発明は、デジタル録画装置に関する。
【背景技術】
【０００２】
大容量ハードディスクにデジタル映像を記録し、残したい映像をＤＶＤなどのリムーバブルメディアにダビングして保存する記録装置において、ダビング対象タイトルに１回のみ記録可能な入力信号を記録したパーツ（以下、コピーワンス部という）と、何回でもコピー可能な入力信号を記録したパーツ（以下、コピーフリー部という）とが混在している場合、コピーフリー部のみを抜き出してダビングする技術が知られている。
【０００３】
従来においては、MPEG2 ストリームからコピーワンス部かコピーフリー部かを判別するために、MPEG2 ストリームの中に記録されているPES ＿scrambling＿control フラグをチェックしている。つまり、MPEG2 ストリームの先頭から最後まで順次 PES＿scrambling＿control フラグをチェックすれば、コピーフリー部のみを抜き出してリムーバブルメディアにダビングすることが可能となる。しかしながら、この方法では、ダビングできないコピーワンス部のMPEG2 ストリームも全てチェックする必要があり、処理に時間がかかる。また、対象タイトルが全てコピーワンスで記録されている場合には、全てのMPEG2 ストリームをチェックした後でないとユーザにダビング不可である旨を表示することができない。
【発明の開示】
【発明が解決しようとする課題】
【０００４】
この発明は、ダビング対象タイトルにコピーワンス部と、コピーフリー部とが混在している場合、コピーフリー部のみを高速に抜き出してダビングすることができるデジタル録画装置を提供することを目的とする。
【課題を解決するための手段】
【０００５】
請求項１に記載の発明は、第１の記録メディア、第２の記録メディア、入力されるＡＶデータをエンコードして第１の記録メディアおよび第２の記録メディアのうちのいずれか一方の記録メディアに記録する記録手段、および上記一方の記録メディアに記録したデータを他方の記録メディアにコピーするダビング手段を備えたデジタル録画装置において、記録手段は、データを上記一方の記録メディアに記録する際には、管理情報を上記一方の記録メディアに記録するとともに、管理情報内の所定の１または複数の管理項目に、その管理項目の管理対象であるデータに対して、全てがコピーワンスであるか、全てがコピーフリーであるか、コピーワンスとコピーフリーとが混在しているかを表すコピー情報を記録するコピー情報記録手段を備えており、ダビング手段は、上記所定の１または複数の管理項目に記録されたコピー情報に基づいて、コピーフリーであるデータのみを上記他方の記録メディアにコピーすることを特徴とする。
【０００６】
請求項２に記載の発明は、請求項１に記載の発明において、全てがコピーフリーであることを示すコピー情報を第１コピー情報、全てがコピーワンスであることを示すコピー情報を第２コピー情報、コピーワンスとコピーフリーとが混在しているかを示すコピー情報を第３コピー情報と定義すると、上記管理情報内の所定の管理項目として、階層が高い順に、第１管理項目、第２管理項目および第３管理項目があり、ダビング手段は、第１管理項目に記録されたコピー情報が、第１コピー情報であるか、第２コピー情報であるか、第３コピー情報であるかを判別する第１判別手段、第１判別手段によって第１管理項目に記録されたコピー情報が第１コピー情報であると判別した場合には、当該第１管理項目の管理対象であるデータを上記他方の記録メディアにコピーする手段、第１判別手段によって第１管理項目に記録されたコピー情報が第２コピー情報であると判別した場合には、当該第１管理項目の管理対象であるデータの上記他方の記録メディアへのコピーを禁止する手段、第１判別手段によって第１管理項目に記録されたコピー情報が第３コピー情報であると判別した場合には、当該第１管理項目内の第２管理項目毎に、第２管理項目に記録されたコピー情報が、第１コピー情報であるか、第２コピー情報であるか、第３コピー情報であるかを判別する第２判別手段、第２判別手段によって第２管理項目に記録されたコピー情報が第１コピー情報であると判別した場合には、当該第２管理項目の管理対象であるデータの全てを上記他方の記録メディアにコピーする手段、第２判別手段によって第２管理項目に記録されたコピー情報が第２コピー情報であると判別した場合には、当該第２管理項目の管理対象であるデータの上記他方の記録メディアへのコピーを禁止する手段、第２判別手段によって第２管理項目に記録されたコピー情報が第３コピー情報であると判別した場合には、当該第２管理項目内の各第３管理項目毎に、第３管理項目に記録されたコピー情報が、第１コピー情報であるか、第２コピー情報であるか、第３コピー情報であるかを判別する第３判別手段、第３判別手段によって第３管理項目に記録されたコピー情報が第１コピー情報であると判別した場合には、当該第３管理項目の管理対象であるデータの全てを上記他方の記録メディアにコピーする手段、ならびに第３判別手段によって第３管理項目に記録されたコピー情報が第２コピー情報または第３コピー情報であると判別した場合には、当該第３管理項目の管理対象であるデータの上記他方の記録メディアへのコピーを禁止する手段を備えていることを特徴とする。
【０００７】
請求項３に記載の発明は、請求項１乃至２に記載の発明において、コピー情報記録手段は、管理情報内の上記所定の１または複数の管理項目の空きｂｉｔに、コピー情報を記録することを特徴とする。
【０００８】
請求項４に記載の発明は、請求項１乃至２に記載の発明において、コピー情報記録手段は、管理情報内の上記所定の１または複数の管理項目にコピー情報記憶領域を追加し、コピー情報記憶領域にコピー情報を記録することを特徴とする。
【０００９】
請求項５に記載の発明は、第１の記録メディア、第２の記録メディア、入力されるＡＶデータをＭＰＥＧエンコードして第１の記録メディアおよび第２の記録メディアのうちのいずれか一方の記録メディアに記録する記録手段、および上記一方の記録メディアに記録したＭＰＥＧデータを他方の記録メディアにコピーするダビング手段を備えたデジタル録画装置において、記録手段は、ＭＰＥＧデータを上記一方の記録メディアに記録する際には、ＤＶＤ−ＶＲフォーマットに沿った形式で管理情報を上記一方の記録メディアに記録するとともに、管理情報内のＭ＿ＶＯＢ＿ＧＩ、ＴＭ＿ＥＮＴおよびＶＯＢＵ＿ＥＮＴそれぞれに、その管理対象であるＭＰＥＧデータに対して、全てがコピーワンスであるか、全てがコピーフリーであるか、コピーワンスとコピーフリーとが混在しているかを表すコピー情報を記録するコピー情報記録手段を備えており、ダビング手段は、Ｍ＿ＶＯＢ＿ＧＩ、ＴＭ＿ＥＮＴおよびＶＯＢＵ＿ＥＮＴそれぞれに記録されたコピー情報に基づいて、コピーフリーであるＭＰＥＧデータのみを上記他方の記録メディアにコピーすることを特徴とする。
【００１０】
請求項６に記載の発明は、請求項５に記載の発明において、全てがコピーフリーであることを示すコピー情報を第１コピー情報、全てがコピーワンスであることを示すコピー情報を第２コピー情報、コピーワンスとコピーフリーとが混在しているかを示すコピー情報を第３コピー情報と定義すると、ダビング手段は、Ｍ＿ＶＯＢ＿ＧＩに記録されたコピー情報が、第１コピー情報であるか、第２コピー情報であるか、第３コピー情報であるかを判別する第１判別手段、第１判別手段によってＭ＿ＶＯＢ＿ＧＩに記録されたコピー情報が第１コピー情報であると判別した場合には、当該Ｍ＿ＶＯＢ＿ＧＩの管理対象であるＭＰＥＧデータを上記他方の記録メディアにコピーする手段、第１判別手段によってＭ＿ＶＯＢ＿ＧＩに記録されたコピー情報が第２コピー情報であると判別した場合には、当該Ｍ＿ＶＯＢ＿ＧＩの管理対象であるＭＰＥＧデータの上記他方の記録メディアへのコピーを禁止する手段、第１判別手段によってＭ＿ＶＯＢ＿ＧＩに記録されたコピー情報が第３コピー情報であると判別した場合には、当該Ｍ＿ＶＯＢ＿ＧＩ内のＴＭ＿ＥＮＴ毎に、ＴＭ＿ＥＮＴに記録されたコピー情報が、第１コピー情報であるか、第２コピー情報であるか、第３コピー情報であるかを判別する第２判別手段、第２判別手段によってＴＭ＿ＥＮＴに記録されたコピー情報が第１コピー情報であると判別した場合には、当該ＴＭ＿ＥＮＴの管理対象であるＭＰＥＧデータの全てを上記他方の記録メディアにコピーする手段、第２判別手段によってＴＭ＿ＥＮＴに記録されたコピー情報が第２コピー情報であると判別した場合には、当該ＴＭ＿ＥＮＴの管理対象であるＭＰＥＧデータの上記他方の記録メディアへのコピーを禁止する手段、第２判別手段によってＴＭ＿ＥＮＴに記録されたコピー情報が第３コピー情報であると判別した場合には、当該ＴＭ＿ＥＮＴ内の各ＶＯＢＵ＿ＥＮＴ毎に、ＶＯＢＵ＿ＥＮＴに記録されたコピー情報が、第１コピー情報であるか、第２コピー情報であるか、第３コピー情報であるかを判別する第３判別手段、第３判別手段によってＶＯＢＵ＿ＥＮＴに記録されたコピー情報が第１コピー情報であると判別した場合には、当該ＶＯＢＵ＿ＥＮＴの管理対象であるＭＰＥＧデータの全てを上記他方の記録メディアにコピーする手段、ならびに第３判別手段によってＶＯＢＵ＿ＥＮＴに記録されたコピー情報が第２コピー情報または第３コピー情報であると判別した場合には、当該ＶＯＢＵ＿ＥＮＴの管理対象であるＭＰＥＧデータの上記他方の記録メディアへのコピーを禁止する手段を備えていることを特徴とする。
【００１１】
請求項７に記載の発明は、請求項５乃至６に記載の発明において、コピー情報記録手段は、管理情報中のＭ＿ＶＯＢ＿ＧＩ、ＴＭ＿ＥＮＴおよびＶＯＢＵ＿ＥＮＴそれぞれの空きｂｉｔに、コピー情報を記録することを特徴とする。
【００１２】
請求項８に記載の発明は、請求項５乃至６に記載の発明において、コピー情報記録手段は、管理情報中のＭ＿ＶＯＢ＿ＧＩ、ＴＭ＿ＥＮＴおよびＶＯＢＵ＿ＥＮＴそれぞれにコピー情報記憶領域を追加し、コピー情報記憶領域にコピー情報を記録することを特徴とする。
【発明の効果】
【００１３】
この発明によれば、ダビング対象タイトルにコピーワンス部と、コピーフリー部とが混在している場合、コピーフリー部のみを高速に抜き出してダビングすることができるようになる。
【発明を実施するための最良の形態】
【００１４】
以下、図面を参照して、この発明の実施例について説明する。
【実施例１】
【００１５】
〔１〕記録再生装置の構成についての説明
図１は、記録再生装置の構成を示している。
【００１６】
記録再生装置は、入力部１、記録メディア部２および出力部３を備えている。入力部１は、地上波アナログチューナ１１、ＮＴＳＣデコーダ１２、オーディオＡ／Ｄ変換器１３およびＭＰＥＧエンコーダ１４を備えている。ＭＰＥＧエンコーダ１４は、ＭＰＥＧビデオエンコーダ１５、ＭＰＥＧオーディオエンコーダ１６、ＭＵＸ（multiplexer)１７およびバッファ１８を備えている。
【００１７】
記録メディア部２は、ＨＤＤ２１およびＤＶＤ２２を備えている。
【００１８】
出力部３は、ＭＰＥＧデコーダ３１、ＮＴＳＣエンコーダ３７、オーディオＤ／Ａ変換器３８およびＴＶ３９を備えている。ＭＰＥＧデコーダは、ＤＥＭＵＸ（demultiplexer)３２、ビデオバッファ３３、ＭＰＥＧビデオデコーダ３４、オーディオバッファ３５およびＭＰＥＧオーディオデコーダ３６を備えている。
【００１９】
入力部１では、地上波アナログチューナ１１によって得られた映像信号は、ＮＴＳＣデコーダ１２によってＮＴＳＣデコードされた後、ＭＰＥＧエンコーダ１４内のＭＰＥＧビデオエンコーダ１５に送られ、ＭＰＥＧ２方式でエンコードされる。一方、地上波アナログチューナ１１によって得られた音声信号は、オーディオＡ／Ｄ変換器１３によってデジタル信号に変換された後、ＭＰＥＧエンコーダ１４内のＭＰＥＧオーディオエンコーダ１６に送られ、ＭＰＥＧ２方式でエンコードされる。エンコードされた映像信号および音声信号は、ＭＵＸ１７で多重化された後、バッファ１８を介して、記録メディア部２に送られ、ＨＤＤ２１またはＤＶＤ２２に記録される。
【００２０】
出力部３では、記録メディア部２から読み出したＭＰＥＧデータが、ＭＰＥＧデコーダ３１内のＤＥＭＵＸ３２によって映像信号と音声信号に分離される。ＤＥＭＵＸ３２によって得られた映像信号はビデオバッファ３３を介してＭＰＥＧビデオデコーダ３４に送られてデコードされた後、ＮＴＳＣエンコーダ３７を介してＴＶ３９に送られる。ＤＥＭＵＸ３２によって得られた音声信号はオーディオバッファ３５を介してＭＰＥＧオーディオデコーダ３６に送られてデコードされた後、オーディオＤ／Ａ変換器３８を介してＴＶ３９に送られる。
【００２１】
なお、この記録再生装置では、記録メディア部２内のＨＤＤ２１またはＤＶＤ２２に記録されたデータを再エンコードダビングまたは高速ダビングで、双方向にコピーまたは移動することが可能である。再エンコードダビングでは、ＨＤＤ２１またはＤＶＤ２２に記録されたデータがＭＰＥＧデコーダ３１によってデコードされた後、得られたデータが入力部１内のＭＰＥＧエンコーダ１４によってエンコードされ、得られたＭＰＥＧデータがＨＤＤ２１またはＤＶＤ２２に記録される。
【００２２】
高速ダビングでは、ＭＰＥＧデコーダ３１およびＭＰＥＧエンコーダ１４を介さず、ＨＤＤ２１とＤＶＤ２２との間で、直接データのコピーまたは移動が行なわれる。ただし、既に記録されたデータがコピーワンス部からなる場合、ＨＤＤからＤＶＤへの移動しか許可されない。
【００２３】
この実施例では、ＨＤＤ２１にＤＶＤ−ＶＲフォーマットに沿った形式で管理情報を記録する。なお、１つのビデオファイルは、１つのVOB(Video Object) から構成され、１つのVOB は、複数のVOBU(Video Object Unit) で構成される。１つのVOBUは複数のパックから構成される。
【００２４】
図２は、ＤＶＤ−ＶＲフォーマットの管理情報の概要を示している。
【００２５】
（１）ＤＶＤ−ＶＲフォーマットの管理情報RTR ＿VMG （Video Manager)は、以下の情報から構成されている。
・RTR ＿VMGI（Video Manager Information)：RTR ＿VMG の全体のアドレス情報等の管理
・M ＿AVFIT （Movie AV File Information Table)：Movie ファイル情報の管理
・S ＿AVFIT ：静止画ファイル情報の管理
・ORG ＿ PGCI ：オリジナルプログラム（再生する単位）の情報の管理
・UD＿ PGCIT：プレイリストの情報の管理
・TXTDT ＿ MG ：付加的なテキスト情報の管理
・MNFIT ：製造者情報の管理
【００２６】
（２）Movie ファイル情報を管理する上記M ＿AVFIT は、以下の情報等から構成されている。
・M ＿AVFITI：M ＿AVFIT のエンドアドレス等の管理
・M ＿AVFI：M ＿AVFI＿GIと、複数のM ＿VOBI(Movie Video Object Information)からなる。M ＿AVFI＿GIは、M ＿VOBIの数を管理する。
【００２７】
（３）上記M ＿VOBIは、以下の情報等から構成されている。
・M ＿VOBI＿GI
・TMAPI(Time MAP Information) 
各M ＿VOBIは、表１に示すような情報を管理する。
【００２８】
【表１】
2006352453.tif 000003
【００２９】
TMAPI は、TMAP＿GI、複数のTM＿ENT 、複数のVOBU＿ENT からなる。TMAP＿GIは、TM＿ENT の数、VOBU＿ENT の数等を管理する。TM＿ENT は表２に示すような情報を管理し、VOBU＿ENT は表３に示すような情報を管理する。TM＿ENT は１０秒毎に作成される。
【００３０】
【表２】
2006352453.tif 000004
【００３１】
【表３】
2006352453.tif 000005
【００３２】
この実施例では、これらの管理情報に２bit のコピー情報を格納することを特徴としている。コピー情報は、00b(全てコピーフリー) 、01b(全てコピーワンス) および10b(コピーフリーとコピーワンスが混在) という値を持つ。
【００３３】
コピー情報は、M ＿VOB ＿GI、TM＿ENT 、VOBU＿ENT にそれぞれ格納されるが、格納方法としては空きの2bitを使用してもよいし、コピー情報専用の1byte を追加してもよい。ここでは、一例として、空きの2bitを使用する場合について説明する。なお、M ＿VOB ＿GIに格納されるコピー情報はVOB 単位のコピー情報であり、TM＿ENT に格納されるコピー情報はTM＿ENT 単位のコピー情報であり、VOBU＿ENT に格納されるコピー情報はVOBU単位のコピー情報である。
【００３４】
M ＿VOBI＿GIでは、VOB ＿TY（表１参照）に2bit以上のreserved領域が存在するため、その領域内の2bitをコピー情報の記録用として用いる。
【００３５】
TM＿ENT では、VOBU＿ADR （表２参照）が32bit の値をとるが、30bit でも2TB までのデータサイズに対応できるため、この上位2bitをコピー情報の記録用として用いる。
VOBU＿ENT では、1STREF＿SZ（表３参照）の上位1bitと、VOBU＿SZ（表３参照）の上位1bitとを、コピー情報の記録用として用いる。1STREF＿SZは256KB 、VOBU＿SZは1MB まで対応でき、ビットレート10Mbps程度であれば、実用的には問題ないと言える。
【００３６】
このように、空きの2bitを使用することにより、DVD-VRフォーマットの特徴である各編集（シーン削除、タイトル分割、タイトル結合）やプレイリストのダビングにも容易に対応できる。
【００３７】
図３は、M ＿VOB (Movie Video Object)単位の録画を行なう際の全体的な処理手順を示している。
【００３８】
CP＿ONCE＿VOB は、録画終了時にM ＿VOB ＿GIに付加するM ＿VOB 単位のコピー情報を記憶する数である。CP＿ONCE＿CNT は、TM＿ENT を記録する間（１０秒間）にコピーワンス入力を検出した回数を記憶する変数である。CP＿ONCE＿FLG は、後述する入力信号チェック処理において、コピーワンス入力を検出したか否かを記憶するフラグである。
【００３９】
録画が開始されると、CP＿ONCE＿VOB に初期値”３”を代入する（ステップＳ１）。また、CP＿ONCE＿CNT に”０”を代入する（ステップＳ２）。
【００４０】
次に、ビデオオブジェクトユニット（VOBU) 単位毎に、入力信号のコピー情報のチェック等を行なうための入力信号チェック処理を行なう（ステップＳ３）。この処理の詳細については後述する。
【００４１】
次に、VOBU＿ENT にVOBU＿ENT 単位のコピー情報を付加するための処理（VOBU＿ENT へのコピー情報付加処理）を行なう（ステップＳ４）。この処理の詳細については後述する。
【００４２】
次に、TM＿ENT にTM＿ENT 単位のコピー情報を付加するための処理（TM＿ENT へのコピー情報付加処理）を行なう（ステップＳ５）。この処理の詳細については後述する。
【００４３】
次に、MPEGストリームをHDD またはDVD に記録するための記録処理を行なう（ステップＳ６）。そして、録画終了命令が入力されたか否かを判別する（ステップＳ７）。録画終了命令が入力されてない場合には、ステップＳ３に戻る。
【００４４】
録画終了命令が入力されている場合には、変数CP＿ONCE＿VOB の値を、M ＿VOB ＿GIの所定の2bit（コピー情報記録用の2bit）に代入する（ステップＳ８）。つまり、録画対象であるM ＿VOB に対応するM ＿VOB ＿GIにコピー情報を付加する。そして、今回の処理を終了する。
【００４５】
図４は、図３のステップＳ３（入力信号チェック処理）の詳細な処理手順を示している。
【００４６】
VOBU単位で入力信号のコピー情報（コピーワンス or コピーフリー）を取得する（ステップＳ１１）。コピーワンスである場合には（ステップＳ１２でＹＥＳ）、変数CP＿ONCE＿VOB が”０”であるか否かを判別する（ステップＳ１３）。なお、変数CP＿ONCE＿VOB の初期設定値は”３”である。
【００４７】
変数CP＿ONCE＿VOB が”０”でない場合には、変数CP＿ONCE＿VOB が初期設定値”３”であるか否かを判別する（ステップＳ１４）。変数CP＿ONCE＿VOB が初期設定値”３”である場合には、変数CP＿ONCE＿VOB に全てコピーワンスであることを表す値”１”を代入する（ステップＳ１５）。そして、ステップＳ１７に移行する。
【００４８】
上記ステップＳ１４において、変数CP＿ONCE＿VOB が初期設定値”３”でないと判別した場合には、つまり、変数CP＿ONCE＿VOB が”１”または”２”である場合には、変数CP＿ONCE＿VOB を変更する必要がないので、ステップＳ１７に移行する。
【００４９】
上記ステップＳ１３において、変数CP＿ONCE＿VOB が”０”であると判別した場合には、録画対象内にコピーフリーのVOBUが存在していることが既に確認されているので、変数CP＿ONCE＿VOB にコピーフリーとコピーワンスが混在していることを表す値”２”を代入する（ステップＳ１６）。そして、ステップＳ１７に移行する。
【００５０】
ステップＳ１７では、変数CP＿ONCE＿CNT の値を１だけインクリメントする。そして、フラグCP＿ONCE＿FLG に、今回取得したコピー情報がコピーワンスであることを示す”１”を代入する（ステップＳ１８）。そして、図３のステップ４に移行する。
【００５１】
上記ステップＳ１２において、コピーワンスではないと判別した場合、つまりコピーフリーである場合には、変数CP＿ONCE＿VOB が”１”であるか否かを判別する（ステップＳ１９）。
【００５２】
変数CP＿ONCE＿VOB が”１”でない場合には、変数CP＿ONCE＿VOB が初期設定値”３”であるか否かを判別する（ステップＳ２０）。変数CP＿ONCE＿VOB が初期設定値”３”である場合には、変数CP＿ONCE＿VOB に全てコピーフリーであることを表す値”０”を代入する（ステップＳ２１）。そして、ステップＳ２３に移行する。
【００５３】
上記ステップＳ２０において、変数CP＿ONCE＿VOB が初期設定値”３”でないと判別した場合には、つまり、変数CP＿ONCE＿VOB が”０”または”２”である場合には、変数CP＿ONCE＿VOB を変更する必要がないので、ステップＳ２３に移行する。
【００５４】
上記ステップＳ１９において、変数CP＿ONCE＿VOB が”１”であると判別した場合には、録画対象にコピーワンスのVOBUが存在していることが既に確認されているので、変数CP＿ONCE＿VOB にコピーフリーとコピーワンスが混在していることを表す値”２”を代入する（ステップＳ２２）。そして、ステップＳ２３に移行する。
【００５５】
ステップＳ２３では、フラグCP＿ONCE＿FLG に、今回取得したコピー情報がコピーフリーであることを示す”０”を代入する。そして、図３のステップ４に移行する。
【００５６】
図５は、図３のステップＳ４（VOBU＿ENT へのコピー情報付加処理）の詳細な処理手順を示している。
【００５７】
まず、MPEGエンコーダ１４からVOBU＿ENT を取得する（ステップＳ２１）。CP＿ONCE＿FLG が１であるか否かを判別する（ステップＳ２２）。フラグCP＿ONCE＿FLG が１であれば、取得したVOBU＿ENT に対応するVOBUはコピーワンスであるので、VOBU＿ENT 内の所定の2bit（コピー情報記録用の2bit）に全てコピーワンスであることを表す"01b" を設定する（ステップＳ２３）。そして、図３のステップＳ５に移行する。
【００５８】
フラグCP＿ONCE＿FLG が０であれば、取得したVOBU＿ENT に対応するVOBUはコピーフリーであるので、VOBU＿ENT 内の所定の2bit（コピー情報記録用の2bit）に全てコピーフリーであることを表す"00b" を設定する（ステップＳ２４）。そして、図３のステップＳ５に移行する。
【００５９】
図６は、図３のステップＳ５（TM＿ENT へのコピー情報付加処理）の詳細な処理手順を示している。
【００６０】
まず、現在入力されている入力信号からTM＿ENT 情報を取得できるか否かを判別する（ステップＳ３１）。TM＿ENT 情報が取得できない場合には、図３のステップＳ６に移行する。
【００６１】
現在入力されている入力信号からTM＿ENT 情報を取得できると判別した場合には、MPEGエンコーダ１４からTM＿ENT を取得する（ステップＳ３２）。そして、変数CP＿ONCE＿CNT が０より大きいか否かを判別する（ステップＳ３３）。
【００６２】
変数CP＿ONCE＿CNT が０である場合には、TM＿ENT 内の所定の2bit（コピー情報記録用の2bit）に全てコピーフリーであることを表す"00b" を設定する（ステップＳ３４）。そして、ステップＳ３８に移行する。
【００６３】
上記ステップＳ３３において、変数CP＿ONCE＿CNT が１以上であると判定した場合には、変数CP＿ONCE＿CNT が規定数であるか否かを判別する（ステップＳ３５）。規定数とは、TM＿ENT １つ当たりのVOBU＿ENT の数となる。例えば、1 秒間に2VOBU をもつMPEGストリームの場合、TM＿ENT は１０秒間に１つ存在するため、規定数は２０となる。
【００６４】
変数CP＿ONCE＿CNT が、規定数である場合には、TM＿ENT 内の所定の2bit（コピー情報記録用の2bit）に全てコピーワンスであることを表す"01b" を設定する（ステップＳ３６）。そして、ステップＳ３８に移行する。
【００６５】
上記ステップＳ３５において、変数CP＿ONCE＿CNT が、規定数でないと判別した場合には、TM＿ENT 内の所定の2bit（コピー情報記録用の2bit）にコピーフリーとコピーワンスが混在していることを表す"10b" を設定する（ステップＳ３７）。そして、ステップＳ３８に移行する。
【００６６】
ステップＳ３８では、変数CP＿ONCE＿CNT に０を代入する。そして、図３のステップＳ６に移行する。
【００６７】
図７は、ダビング時の全体的な処理手順を示している。
【００６８】
ここでいうダビングとは、再エンコードダビングまたは高速ダビングの両方を含む。ダビング対象であるM ＿VOB に対応するM ＿VOB ＿GIに付加されているコピー情報(2bit)の値が”10b ”であるか否かを判別する（ステップＳ４１）。M ＿VOB ＿GIに付加されているコピー情報(2bit)が”10b ”である場合には、ダビング対象であるM ＿VOB を構成するVOBUが、コピーフリーとコピーワンスとを含んでいると判断し、M ＿VOB 混在ダビング処理を行なう（ステップＳ４２）。この処理の詳細については後述する。そして、今回の処理を終了する。
【００６９】
上記ステップＳ４１において、M ＿VOB ＿GIに付加されているコピー情報(2bit)が”10b ”でないと判別した場合には、当該M ＿VOB ＿GIに付加されているコピー情報(2bit)が”00b ”であるか否かを判別する（ステップＳ４３）。当該M ＿VOB ＿GIに付加されているコピー情報(2bit)が”00b ”である場合には、ダビング対象であるM ＿VOB を構成する全てのVOBUがコピーフリーであるので、ダビング対象であるM ＿VOB に相当するMPEGデータを全てダビングする（ステップＳ４４）。そして、今回の処理を終了する。
【００７０】
上記ステップＳ４３において、当該M ＿VOB ＿GIに付加されているコピー情報(2bit)の値が”00b ”でないと判別した場合には、つまり、当該M ＿VOB ＿GIに付加されているコピー情報(2bit)が”01b ”である場合には、ダビング対象であるM ＿VOB を構成する全てのVOBUがコピーワンスであるので、ダビングを行なうことなく今回の処理を終了する。
【００７１】
図８は、図７のステップＳ４２（M ＿VOB 混在ダビング処理）の詳細な処理手順を示している。
【００７２】
まず、変数ｉに０を代入する（ステップＳ５１）。ｉを１だけインクリメントする（ステップＳ５２）。次に、TM＿ENT ♯i に付加されているコピー情報(2bit)が"10b" であるか否かを判別する（ステップＳ５３）。TM＿ENT ♯i に付加されているコピー情報(2bit)が"10b" である場合には、TM＿ENT ♯i 内にコピーフリーのVOBUとコピーワンスのVOBUとが混在していると判断し、TM＿ENT 混在ダビング処理を行なう（ステップＳ５４）。この処理の詳細については、後述する。そして、ステップＳ５７に移行する。
【００７３】
上記ステップＳ５３において、TM＿ENT ♯i に付加されているコピー情報(2bit)が"10b" ではないと判別した場合には、TM＿ENT ♯i に付加されているコピー情報(2bit)が"00b" であるか否かを判別する（ステップＳ５５）。
【００７４】
TM＿ENT ♯i に付加されているコピー情報(2bit)が"00b" である場合には、つまり、TM＿ENT ♯i 内に含まれている全てのVOBUがコピーフリーである場合には、TM＿ENT ♯i に相当するMPEGデータを全てダビングする（ステップＳ５６）。そして、ステップＳ５７に移行する。
【００７５】
上記ステップＳ５５において、TM＿ENT ♯i に付加されているコピー情報(2bit)が"00b" でないと判別した場合には、つまり、コピー情報(2bit)が"01b" であり、TM＿ENT ♯i 内に含まれている全てのVOBUがコピーワンスである場合には、TM＿ENT ♯i に相当するMPEGデータをダビングすることなく、ステップＳ５７に移行する。
【００７６】
ステップＳ５７では、i がM ＿VOB 中のTM＿ENT の数に達したか否かを判別する。i がM ＿VOB 中のTM＿ENT の数に達していない場合には、ステップＳ５２に戻る。i がM ＿VOB 中のTM＿ENT の数に達している場合には、今回のダビング処理を終了する。
【００７７】
図９は、図８のステップＳ５４（TM＿ENT 混在ダビング処理）の詳細な処理手順を示している。
【００７８】
まず、変数ｊに０を代入する（ステップＳ６１）。ｊを１だけインクリメントする（ステップＳ６２）。次に、TM＿ENT ♯ｉ内のVOBU＿ENT ♯ｊに付加されているコピー情報(2bit)が"00b" であるか否かを判別する（ステップＳ６３）。
【００７９】
VOBU ＿ENT ♯ｊに付加されているコピー情報(2bit)が"00b" である場合には、VOBU＿ENT ♯ｊ内のVOBUがコピーフリーであると判断し、VOBU＿ENT ♯ｊに相当するMPEGデータを全てダビングする（ステップＳ６４）。そして、ステップＳ６５に移行する。
【００８０】
上記ステップＳ６３において、 VOBU ＿ENT ♯ｊに付加されているコピー情報(2bit)が"00b" でないと判別した場合、つまり、コピー情報(2bit)が"01b" であり、VOBU＿ENT ♯ｊ内のVOBUがコピーワンスであると判断し、VOBU＿ENT ♯ｊに相当するMPEGデータをダビングすることなく、ステップＳ６５に移行する。
【００８１】
ステップＳ６５では、ｊがTM＿ENT ♯ｉ中のVOBU＿ENT の数に達したか否かを判別する。ｊがTM＿ENT ♯ｉ中のVOBU＿ENT の数に達していない場合には、ステップＳ６２に戻る。ｊがTM＿ENT ♯ｉ中のVOBU＿ENT の数に達している場合には、図８のステップＳ５７に移行する。
【００８２】
図１０は、コピー情報が付加された管理情報の一例を示している。
【００８３】
M ＿ VOBI ♯1 に付加されたコピー情報は”１”であるので、M ＿ VOB♯1 はダビング不可となる。M ＿ VOBI ♯3 に付加されたコピー情報は”０”であるので、M ＿ VOB♯3 は全てダビング可能となる。
【００８４】
M ＿ VOBI ♯2 に付加されたコピー情報は”２”であるので、M ＿ VOBI ♯2 に含まれるTM＿ENT に付加されたコピー情報をチェックする。TM＿ENT ♯1 〜♯2 に付加されたコピー情報は”０”であるので、これらに対応するMPEGデータはダビング可能となる。TM＿ENT ♯4 〜♯7 に付加されたコピー情報は”１”であるので、これらに対応するMPEGデータはダビング不可となる
【００８５】
TM＿ENT ♯3 に付加されたコピー情報は”２”であるので、TM＿ENT ♯3 に含まれるVOBU＿ENT をチェックする。VOBU＿ENT ♯1 〜♯4 に付加されたコピー情報は”０”であるので、これらに対応するMPEGデータはダビング可能となる。VOBU＿ENT ♯5 〜♯9 に付加されたコピー情報は”１”であるので、これらに対応するMPEGデータはダビング不可となる。なお、仮に、VOBU＿ENT 内にコピーフリー部とコピーワンス部とが混在していても、る最終的にVOBU単位でしか再生できないので、その場合にはコピーワンスであると判定する。
【図面の簡単な説明】
【００８６】
【図１】記録再生装置の構成を示すブロック図である。
【図２】ＤＶＤ−ＶＲフォーマットの管理情報の概要を示す模式図である。
【図３】M ＿VOB (Movie Video Object)単位の録画を行なう際の全体的な処理手順を示すフローチャートである。
【図４】図３のステップＳ３（入力信号チェック処理）の詳細な処理手順を示すフローチャートである。
【図５】図３のステップＳ４（VOBU＿ENT へのコピー情報付加処理）の詳細な処理手順を示すフローチャートである。
【図６】図３のステップＳ５（TM＿ENT へのコピー情報付加処理）の詳細な処理手順を示すフローチャートである。
【図７】ダビング時の全体的な処理手順を示すフローチャートである。
【図８】図７のステップＳ４２（M ＿VOB 混在ダビング処理）の詳細な処理手順を示すフローチャートである。
【図９】図８のステップＳ５４（TM＿ENT 混在ダビング処理）の詳細な処理手順を示すフローチャートである。
【図１０】コピー情報が付加された管理情報の一例を示す模式図である。
【符号の説明】
【００８７】
１  入力部
２  記録メディア部
３  出力部
１１  地上波アナログチューナ
１２  ＮＴＳＣデコーダ
１３  オーディオＡ／Ｄ変換器
１４  ＭＰＥＧエンコーダ
２１  ＨＤＤ
２２  ＤＶＤ
３１  ＭＰＥＧデコーダ
３７  ＮＴＳＣエンコーダ
３８  オーディオＤ／Ａ変換器
３９  ＴＶ
【図１】
2006352453.tif 000006
【図２】
2006352453.tif 000007
【図３】
2006352453.tif 000008
【図４】
2006352453.tif 000009
【図５】
2006352453.tif 000010
【図６】
2006352453.tif 000011
【図７】
2006352453.tif 000012
【図８】
2006352453.tif 000013
【図９】
2006352453.tif 000014
【図１０】
2006352453.tif 000015